(57)【特許請求の範囲】
【請求項１】
被記録媒体に記録を行う記録手段と、
前記記録手段を内部に備える筐体と、
前記筐体に対し第１の回動軸を中心に回動することにより前記筐体の上部を開閉する開閉体と、
前記筐体に対し第２の回動軸を中心に回動可能に設けられるハンドルと、を備え、
前記開閉体は、各種情報等を表示する表示部を有するパネルであり、
前記筐体は、平面視において被記録媒体の搬送方向と交差する幅方向に長い形状を成し、
前記パネルは、外周が一対の短辺および一対の長辺を備えて成るとともに、長手方向が前記筐体の長手方向に沿っており、
前記表示部は、輪郭が一対の短辺および一対の長辺を備えて成るとともに、長手方向が前記パネルの長手方向と一致する様に前記パネルに設けられており、
前記パネルは、前記第１の回動軸と交差する方向を長手方向にして回動し、
前記第１の回動軸及び前記第２の回動軸は、ともに前記筐体および前記パネルの短辺を構成する側面の側に設けられ、
前記第２の回動軸は、前記第１の回動軸の下側に位置し、
前記ハンドルは、閉じた状態において前記パネルの下側に位置し、前記パネルの側面から突出しない状態となる、
ことを特徴とする記録装置。
【請求項２】
請求項１に記載の記録装置において、記録時の状態と、前記ハンドルを把持して前記記録装置を持ち運ぶ状態とで、前記筐体の上面が変化し、
前記第１の回動軸及び前記第２の回動軸は、前記記録時の状態における前記筐体の側面側に設けられる、
ことを特徴とする記録装置。
【請求項３】
請求項１または請求項２に記載の記録装置において、前記側面は、前記被記録媒体の搬送方向と交差する方向の側面であることを特徴とする記録装置。
【請求項４】
請求項１から請求項３のいずれか一項に記載の記録装置において、前記第１の回動軸の回動軸線及び前記第２の回動軸の回動軸線は、略平行である、
ことを特徴とする記録装置。
【請求項５】
請求項１から請求項４のいずれか一項に記載の記録装置において、前記開閉体は、前記第１の回動軸を備えるヒンジ部を介して前記筐体に対し回動可能に設けられ、
前記ハンドルは、前記第２の回動軸を備える取付部材を介して前記筐体に対し回動可能に設けられ、
前記筐体は、上側を構成する上側筐体と、下側を構成する下側筐体と、を備えて構成され、
前記ヒンジ部、前記上側筐体、前記下側筐体、のこれらが前記取付部材に対して固定された状態となる、
ことを特徴とする記録装置。
【請求項６】
請求項５に記載の記録装置において、前記下側筐体の側面に、側方に突出する様に突出部が形成され、
前記取付部材が、前記突出部に設けられる、
ことを特徴とする記録装置。
【請求項７】
請求項６に記載の記録装置において、前記ハンドルは略コの字状の形状を成し、
前記ハンドルが閉じた状態において、前記突出部の周囲に前記ハンドルが収まるとともに、前記ハンドルが前記下側筐体の側面から突出しない状態で、前記ハンドルと前記突出部とが前記記録装置の側面を構成する、
ことを特徴とする記録装置。
【請求項８】
請求項７に記載の記録装置において、前記ハンドルには、前記第２の回動軸を受け入れる凹部が形成され、
前記凹部は、前記ハンドルが閉じた状態において当該ハンドルの回動軸線方向と交差する方向への移動を許容する様に遊びが設けられ、
前記ハンドルは、付勢手段の付勢力により、閉じた状態において前記突出部との間の隙間を埋めた状態となる、
ことを特徴とする記録装置。
【請求項９】
請求項１から請求項８のいずれか一項に記載の記録装置において、前記ハンドルと前記開閉体は、ともに回動に際して一方が他方と干渉しない位置関係にある、
ことを特徴とする記録装置。
【請求項１０】
請求項１から請求項９のいずれか一項に記載の記録装置において、開いた状態にある前記パネルを手前にして前記筐体を載置した際、被記録媒体搬送方向は左右方向となる、
ことを特徴とする記録装置。
【請求項１１】
請求項１０に記載の記録装置において、閉じた状態にある前記パネルは、前記筐体の上部の、被記録媒体搬送方向と交差する方向における全域を覆う、
ことを特徴とする記録装置。
【請求項１２】
請求項１０または請求項１１に記載の記録装置において、前記パネルは、開いた状態を保持可能であり、
前記パネルを開いた状態で前記パネルを介して装置の各種操作が可能であるとともに、前記パネルを開いた状態で被記録媒体への記録が可能である、
ことを特徴とする記録装置。
【請求項１３】
被記録媒体に記録を行う記録手段と、
前記記録手段を内部に備える筐体と、
前記筐体に対し第１の回動軸を中心に回動することにより前記筐体の上部を開閉する開閉体と、
前記筐体に対し第２の回動軸を中心に回動可能に設けられるハンドルと、を備え、
前記第１の回動軸及び前記第２の回動軸は、ともに前記筐体の同じ側面側に設けられ、
前記開閉体は、前記第１の回動軸を備えるヒンジ部を介して前記筐体に対し回動可能に設けられ、
前記ハンドルは、前記第２の回動軸を備える取付部材を介して前記筐体に対し回動可能に設けられ、
前記筐体は、上側を構成する上側筐体と、下側を構成する下側筐体と、を備えて構成され、
前記ヒンジ部、前記上側筐体、前記下側筐体、のこれらが前記取付部材に対して固定された状態となり、
前記下側筐体の側面に、側方に突出する様に突出部が形成され、
前記取付部材が、前記突出部に設けられ、
前記ハンドルは略コの字状の形状を成し、
前記ハンドルが閉じた状態において、前記突出部の周囲に前記ハンドルが収まるとともに、前記ハンドルが前記下側筐体の側面から突出しない状態で、前記ハンドルと前記突出部とが装置の側面を構成し、
前記ハンドルには、前記第２の回動軸を受け入れる凹部が形成され、
前記凹部は、前記ハンドルが閉じた状態において当該ハンドルの回動軸線方向と交差する方向への移動を許容する様に遊びが設けられ、
前記ハンドルは、付勢手段の付勢力により、閉じた状態において前記突出部との間の隙間を埋めた状態となる、
ことを特徴とする記録装置。
【発明の詳細な説明】
【技術分野】
【０００１】
本発明は、ハンドルを備えた記録装置に関する。
【背景技術】
【０００２】
プリンターに代表される記録装置には、コンピューターと接続することなくスタンドアロンで使用可能なものがある。またそのようなスタンドアロンタイプのプリンターには、ハガキや小サイズ写真用紙などへの印刷に特化した、ポータブルタイプのものがある。更に、そのようなポータブルタイプのプリンターは、特許文献１に示されるように、持ち運びの為にハンドルが設けられる場合が多い。
【先行技術文献】
【特許文献】
【０００３】
【特許文献１】特開２０１１−４２４７６号公報
【発明の概要】
【発明が解決しようとする課題】
【０００４】
また上記のようなポータブルタイプのプリンターには、各種情報や画像などを表示する表示部が、チルト機構を介してチルト可能に設けられている。特許文献１記載のプリンターも、その一例である。
【０００５】
ここで、表示部は視認性を確保する為に大型化することが好ましいが、その反面、大型化によって表示部が重くなり、持ち運びの際に意図せず表示部が開いてしまい、破損等の好ましくない結果を招く虞がある。
【０００６】
そこで本発明はこの様な状況に鑑み成されたものであり、その目的は、より良好な表示部の視認性と、より適切な持ち運び性の双方を実現することのできる記録装置を提供することにある。
【課題を解決するための手段】
【０００７】
上記課題を解決する為の、本発明の第１の態様に係る記録装置は、被記録媒体に記録を行う記録手段と、前記記録手段を内部に備える筐体と、前記筐体に対し第１の回動軸を中心に回動することにより前記筐体の上部を開閉する開閉体と、前記筐体に対し第２の回動軸を中心に回動可能に設けられるハンドルと、を備え、前記第１の回動軸及び前記第２の回動軸は、ともに前記筐体の同じ側面側に設けられることを特徴とする。
【０００８】
本態様によれば、開閉体の回動軸である第１の回動軸と、ハンドルの回動軸である第２の回動軸は、ともに筐体の同じ側面側に設けられているので、ハンドルを把持して記録装置を持ち運ぶ際に、開閉体が意図せず開いてしまうことを回避できる。これにより、開閉体の大型化を実現しながらも、より適切な持ち運び性を確保することができる。
【０００９】
本発明の第２の態様は、第１の態様において、記録時の状態と、前記ハンドルを把持して前記記録装置を持ち運ぶ状態とで、前記筐体の上面が変化し、前記第１の回動軸及び前記第２の回動軸は、前記記録時の状態における前記筐体の側面側に設けられることを特徴とする。
【００１０】
本発明の第３の態様は、第２の態様において、前記第１の回動軸の回動軸線及び前記第２の回動軸の回動軸線は、略平行であることを特徴とする。
【００１１】
本発明の第４の態様は、第３の態様において、前記第２の回動軸は、前記第１の回動軸の下側に位置することを特徴とする。
【００１２】
本発明の第５の態様は、第１から第４の態様のいずれかにおいて、前記開閉体は、前記第１の回動軸を備えるヒンジ部を介して前記筐体に対し回動可能に設けられ、前記ハンドルは、前記第２の回動軸を備える取付部材を介して前記筐体に対し回動可能に設けられ、前記筐体は、上側を構成する上側筐体と、下側を構成する下側筐体と、を備えて構成され、前記ヒンジ部、前記上側筐体、前記下側筐体、のこれらが前記取付部材に対して固定された状態となることを特徴とする。
【００１３】
本態様によれば、前記ヒンジ部、前記上側筐体、前記下側筐体、のこれらが前記取付部材に対して固定された状態となるので、前記ハンドルを把持した際、前記筐体により構成される記録装置本体と前記開閉体との双方の重量が前記取付部材に掛かることとなる。即ち、前記ハンドルが記録装置の重量を適切に負担することで、前記ハンドルを把持して記録装置を運搬する際の装置の破損等を抑制することができる。
【００１４】
本発明の第６の態様は、第５の態様において、前記下側筐体の側面に、側方に突出する様に突出部が形成され、前記取付部材が、前記突出部に設けられることを特徴とする。  
本態様によれば、前記下側筐体の側面に、側方に突出する様に突出部が形成され、前記取付部材が、前記突出部に設けられるので、前記突出部を前記下部筐体の側面に形成することで前記下部筐体の側面の剛性を向上させることができる。そして、この様に剛性が向上した部位（突出部）に前記取付部材即ちハンドルが取り付けられる為、前記ハンドルを把持して記録装置を運搬する際の前記筐体の破損を抑制することができる。
【００１５】
本発明の第７の態様は、第６の態様において、前記ハンドルは略コの字状の形状を成し、前記ハンドルが閉じた状態において、前記突出部の周囲に前記ハンドルが収まるとともに、前記ハンドルが前記下側筐体の側面から突出しない状態で、前記ハンドルと前記突出部とが前記記録装置の側面を構成することを特徴とする。
【００１６】
本態様によれば、前記ハンドルが閉じた状態において、前記突出部の周囲に前記ハンドルが収まるとともに、前記ハンドルが前記下側筐体の側面から突出しない状態で、前記ハンドルと前記突出部とが前記記録装置の側面を構成するので、装置側面の凹凸が減り（または殆ど無くなり）、装置側面の美観を向上させることができる。
【００１７】
本発明の第８の態様は、第７の態様において、前記ハンドルには、前記第２の回動軸を受け入れる凹部が形成され、前記凹部は、前記ハンドルが閉じた状態において当該ハンドルの回動軸線方向と交差する方向への移動を許容する様に遊びが設けられ、前記ハンドルは、付勢手段の付勢力により、閉じた状態において前記突出部との間の隙間を埋めた状態となることを特徴とする。
【００１８】
本態様によれば、前記ハンドルは、付勢手段の付勢力により、閉じた状態において前記突出部との間の隙間を埋めた状態となるので、装置側面の美観を更に向上させることができる。
【００１９】
本発明の第９の態様は、第１から第８の態様において、前記ハンドルと前記開閉体は、ともに回動に際して一方が他方と干渉しない位置関係にあることを特徴とする。  
本態様によれば、前記ハンドルと前記開閉体は、ともに回動に際して一方が他方と干渉しない位置関係にあるので、前記ハンドルと前記開閉体の操作性が向上する。
【００２０】
本発明の第１０の態様は、第１から第９の態様のいずれか一項に記載の記録装置において、前記開閉体は、各種情報等を表示する表示部を有するパネルであることを特徴とする。
【００２１】
本発明の第１１の態様は、第１０の態様において、前記パネルは、外周が一対の短辺および一対の長辺を備えて成り、前記表示部は、輪郭が一対の短辺および一対の長辺を備えて成るとともに、長手方向が前記パネルの長手方向と一致する様に前記パネルに設けられており、前記パネルは、前記第１の回動軸と交差する方向を長手方向にして回動する様に設けられていることを特徴とする。
【００２２】
本態様によれば、前記パネルは、前記第１の回動軸と交差する方向を長手方向（パネル及び表示部の長手方向）にして回動する様に設けられているので、前記パネルを開いた際、ユーザー側から見て表示部の長手方向が鉛直上下方向に沿った状態となる。従って例えば縦書きが採用されることが多いハガキ作成用途に関して、表示部の表示領域を最大限に使用することで編集イメージをより大きく表示させることができ、編集作業がより行い易くなり、ユーザーニーズにより適切に対応することができる。
【００２３】
本発明の第１２の態様は、第１１の態様において、開いた状態にある前記パネルを手前にして前記筐体を載置した際、被記録媒体搬送方向は左右方向となることを特徴とする。
【００２４】
通常、記録装置には記録が行われて排出される被記録媒体を受ける排出トレイが設けられている。本態様によれば、開いた状態にある前記パネルを手前にして前記筐体（即ち記録装置）を載置した際、被記録媒体搬送方向は左右方向となるので、前記パネルを操作する際に排出トレイが邪魔にならず、前記パネルの操作性が向上する。
【００２５】
本発明の第１３の態様は、第１２の態様において、閉じた状態にある前記パネルは、前記筐体の上部の、被記録媒体搬送方向と交差する方向における全域を覆うことを特徴とする。
【００２６】
本態様によれば、本態様によれば、閉じた状態にある前記パネルは、前記筐体の上部の、被記録媒体搬送方向と交差する方向における全域を覆うので、前記筐体と前記パネルとの一体感が向上し、装置の美観が向上する。
【図面の簡単な説明】
【００２７】
【図１】（Ａ）は、本発明の一実施例に係るプリンターの装置本体を表す斜視図、（Ｂ）は、（Ａ）に示すプリンターのハンドルを開いた状態を表す斜視図。
【図２】（Ａ）は、図１（Ａ）に示すプリンターの給紙カバーと排紙カバーを開いた状態を表す斜視図、（Ｂ）は、（Ａ）の状態から更にパネルを開いた状態を表す斜視図。
【図３】図２（Ａ）に示すプリンターのｂ−ｂ矢視断面図。
【図４】図１（Ａ）に示すプリンターのａ−ａ矢視断面図。
【図５】（Ａ）は、パネルとヒンジ部の斜視図、（Ｂ）は、パネルの装置本体部への取付状態を説明する図。
【図６】プリンターの要部分解斜視図。
【図７】プリンターの要部分解斜視図。
【図８】ハンドルの取付構造を説明する横断面図。
【図９】ハンドルの取付構造を説明する縦断面図。
【図１０】ハンドルが回動する様子を表す図であり、（Ａ）は、閉じた状態を示す図、（Ｂ）は、ハンドルが少し開いた状態を示す図、（Ｃ）は、ハンドルが更に開いた状態を示す図、（Ｄ）は、ハンドルが完全に開いた状態（全開状態）を示す図。
【図１１】圧縮バネによる付勢力を解除した状態におけるハンドルの位置を示す図であり、（Ａ）はハンドルの腕部の断面図、（Ｂ）はハンドルを＋Ｘ側の側面側から見た図。
【図１２】ハンドルの回動について説明する図。
【図１３】（Ａ）は、パネルの開状態を表す斜視図、（Ｂ）は、プリンターのパネルが閉状態と全開状態の間にある状態を表す斜視図。
【図１４】（Ａ）は、図１３（Ａ）をパネルの背面側から見た斜視図、（Ｂ）は、図１３（Ｂ）をパネルの背面側から見た斜視図。
【図１５】（Ａ）は、図１３（Ａ）をパネルの右側面から見た図、（Ｂ）は、図１３（Ｂ）をパネルの右側面から見た図、（Ｃ）は、パネルが閉状態であるプリンターをパネルの右側面から見た図。
【発明を実施するための形態】
【００２８】
以下において、本発明の一実施形態に係る記録装置について、添付図面を参照して説明する。尚、本発明はこれらによって制約されるものではない。
【００２９】
［実施例１］
まず、本発明の一実施例に係る記録装置の概略について説明する。本実施例の記録装置の一例として、インクジェット式プリンターを例に挙げる。  
図１は、（Ａ）は、本発明の一実施例に係るプリンターの装置本体を表す斜視図、（Ｂ）は、（Ａ）に示すプリンターのハンドルを開いた状態を表す斜視図である。図２は、（Ａ）は、図１（Ａ）に示すプリンターの給紙カバーと排紙カバーを開いた状態を表す斜視図、（Ｂ）は、（Ａ）の状態から更にパネルを開いた状態を表す斜視図である。図３は、図２（Ａ）に示すプリンターのｂ−ｂ矢視断面図である。図４は、図１（Ａ）に示すプリンターのａ−ａ矢視断面図である。図５は、（Ａ）は、パネルとヒンジ部の斜視図、（Ｂ）は、パネルの装置本体部への取付状態を説明する図である。
【００３０】
図６は、プリンターの要部分解斜視図である。図７は、プリンターの要部分解斜視図である。図８は、ハンドルの取付構造を説明する横断面図である。図９は、ハンドルの取付構造を説明する縦断面図である。図１０は、ハンドルが回動する様子を表す図であり、（Ａ）は、閉じた状態を示す図、（Ｂ）は、ハンドルが少し開いた状態を示す図、（Ｃ）は、ハンドルが更に開いた状態を示す図、（Ｄ）は、ハンドルが完全に開いた状態（全開状態）を示す図である。図１１は、圧縮バネによる付勢力を解除した状態におけるハンドルの位置を示す図であり、（Ａ）はハンドルの腕部の断面図、（Ｂ）はハンドルを＋Ｘ側の側面側から見た図である。図１２は、ハンドルの回動について説明する図である。
【００３１】
＜プリンターの概要＞
本発明に係る記録装置としてのインクジェットプリンター１０（以下、プリンター１０と称する）は、図１（Ａ）および図１（Ｂ）に示すように、プリンター１０の装置本体部１１、装置本体部１１の上面（＋Ｚ側の面）に設けられるパネル１４、装置本体部１１の上面の後方側を開閉する給紙カバー１６、装置本体部１１の図１（Ａ）における前面（＋Ｙ側の面）側に開閉する排紙カバー１８、および装置本体部１１に対して回動可能に設けられるハンドル２０、のこれらによって、その外観が構成されている。また装置本体部１１は、上側を構成する本体上部１２と、下側を構成する本体下部１３と、を備えて構成されている。
【００３２】
なお、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００３３】
プリンター１０の上面側であって、装置背面側に近い位置には、図２（Ａ）に示すように、被記録媒体としての用紙Ｐをセットする媒体セット部２３が設けられている。給紙カバー１６を開くことによって媒体セット部２３が解放される。媒体セット部２３にセットされる用紙Ｐは、第１スライド板２４ａと第２スライド板２４ｂによって構成される用紙支持部２６によって支持される。  
尚、第１スライド板２４ａおよび第２スライド板２４ｂは、装置本体部１１に設けられた収納部２６（図３を参照）に収納可能、且つ、収納部２６から引き出し可能に構成されている。
【００３４】
また、装置前面側には、記録の行われた用紙Ｐが排出される用紙排出部４１が設けられている。排紙カバー１８を開くことによって用紙排出部４１が開放される。排紙カバー１８は、開状態において、装置本体部１１から排出される用紙Ｐを支持するトレイとして機能する。
【００３５】
パネル１４は、その上面側に各種情報等を表示する表示部２８を備え、＋Ｘ側の側面に設けられた回動軸（図４を参照：以下、第１の回動軸７０という）を中心に回動してプリンター１０の装置本体部１１の上部を開閉するように構成されている［図２（Ａ）および図２（Ｂ）を参照］。  
また、本実施形態においては、ハンドル２０の回動軸（以下、第２の回動軸９０という）も＋Ｘ側の側面に設けられている（図１（Ａ）および図１（Ｂ）を参照）。ハンドル２０は、プリンター１０を持ち運ぶ際に把持する持ち手である。  
尚、パネル１４およびハンドル２０の構成については、後に更に詳しく説明する。
【００３６】
次に、図３、図４を参照してプリンター１０の内部構造の概略と用紙Ｐの搬送経路を説明する。尚、図３には用紙Ｐの搬送経路が示してある。  
プリンター１０において、用紙Ｐは図３の＋Ｙ方向へ搬送される構成である。尚、以下において、プリンター１０において用紙Ｐが搬送されていく方向（＋Ｙ方向側）を「下流」といい、これと反対の方向（−Ｙ方向側）を「上流」という。
【００３７】
装置本体部１１の内部には、用紙Ｐにインクを吐出して記録を行う記録手段としての記録ヘッド３０を備えたキャリッジ３２が、用紙搬送方向（＋Ｙ方向）と交差する方向（Ｘ軸方向）に往復動するように設けられている。記録ヘッド３０の底面には、記録ヘッド３０の下方側を搬送される用紙Ｐに対してインクを吐出する複数のノズル（不図示）からなるノズル列が設けられており、キャリッジ３２に搭載される液体収納体３４からノズルを介してインクが供給される。
【００３８】
用紙Ｐは、給紙ローラー３６により用紙搬送方向下流に向けて給送される。  
給紙ローラー３６により送られる用紙Ｐは、搬送駆動ローラー３８ａと搬送従動ローラー３８ｂを備えた搬送ローラー対３８によって挟圧された状態で、記録ヘッド３０の下方（−Ｚ方向側）の記録領域に搬送される。  
記録ヘッド３０と対向する側（図３における下方側）には、記録ヘッド３０の液体吐出面（底面）と用紙Ｐとの間の用紙ギャップを規定する支持部材４２が設けられている。記録ヘッド３０と支持部材４２との間において、用紙Ｐに記録ヘッド３０からインクを吐出することによって記録が実行される。
【００３９】
記録ヘッド３０の用紙搬送方向下流側には、排出駆動ローラー４４ａと排出従動ローラー４４ｂとを備える排出ローラー対４６が設けられている。  
また、記録ヘッド３０と排出ローラー対４６の間には、浮き防止部としての回転体４８を設けることができる。回転体４８は、記録ヘッド３０から排出ローラー対４６へ至る用紙Ｐの搬送経路上に、用紙Ｐの記録面と接して従動回転するよう設けられることで、用紙Ｐの支持部材４２からの浮き上がりを防止して用紙Ｐと記録ヘッド３０との距離を一定に保つ機能を果たす。  
支持部材４２上を搬送された記録後の用紙Ｐは、排出ローラー対４６によって下流側に送られて用紙排出部４１から排出され、開状態の排紙カバー１８上に載置される。  
以上がプリンター１０の内部構造と用紙搬送経路の概略である。
【００４０】
＜パネルとハンドルの取付構造＞
次に、パネル１４およびハンドル２０の取付構造の一例について説明する。  
パネル１４は、第１の回動軸７０を備えるヒンジ部７２［図５（Ａ）、図７を参照］を介して、装置本体部１１を構成する本体下部１３に取り付けられる。パネル１４は、第１の回動軸７０を受ける軸受け部７４を備えている。
【００４１】
パネル１４の第１の回動軸７０は、図４に示すように装置本体部１１の＋Ｘ側の側面に設けられており、同じ側面の第１の回動軸７０の下側には、ハンドル２０の回動軸（第２の回動軸９０）が設けられている。尚、第１の回動軸７０の回動軸線７６と、第１の回動軸７０の下側に位置する第２の回動軸９０の回動軸線９２は、図６に示すように略平行になっている。  
本実施形態では、ハンドル２０の装置本体部１１（本体下部１３）に対する取付部材８０に、ヒンジ部７２、本体上部１２、本体下部１３が固定されている。  
以下において、この取付構造について更に詳しく説明する。
【００４２】
パネル１４は軸受け部７４を備え［図５（Ａ）を参照］、ヒンジ部７２の第１の回動軸７０が軸受け部７４に回動可能に軸支されるとともに、ヒンジ部７２が装置本体部１１に取り付けられて［図５（Ｂ）、図７を参照］、パネル１４が装置本体部１１の上部を開閉する。尚、符号７０の部材はヒンジ部押えである。
【００４３】
ハンドル２０（図６を参照）は、装置本体部１１の奥行方向（Ｙ軸方向）に略平行に設けられる把持部２１と、把持部２１の両端に設けられるとともに把持部２１と交差する方向に延びる２つの腕部２２、腕部２２を備え、略コの字状の形状に構成されている。
【００４４】
また、図６に示すように、本体下部１３の＋Ｘ側の側面１９には、その側方に突出する様に突出部７８が形成されおり、その突出部７８に、第２の回動軸９０を有する取付部材８０（図７〜図９を参照）を介してハンドル２０が回動可能に取り付けられる。  
より具体的には、ハンドル２０の両側の腕部２２の端部には、それぞれ第２の回動軸９０を受け入れる凹部８４（図９を参照）が形成されており、図８に示すように、本体下部１３の突出部７８に設けられた取付孔７９に、取付部材８０の第２の回動軸９０が突出部７８の内側から挿入され、取付孔７９を貫通した第２の回動軸９０がハンドル２０側の凹部８４に受け入れられる。
【００４５】
更に、取付部材８０は締結孔８２を備え、ヒンジ部７２側の第１の貫通孔７５と本体上部１２側の第２の貫通孔８８をネジ９４が貫通して締結孔８２に締結されて、ヒンジ部７２、本体上部１２、本体下部１３が取付部材８０に固定される。
【００４６】
以上説明したような、パネル１４とハンドル２０の取付構造により、以下の作用効果が得られる。  
すなわち、パネル１４の回動軸である第１の回動軸７０と、ハンドル２０の回動軸である第２の回動軸９０が、装置本体部１１の同じ側面側に設けられていることにより、ハンドル２０を把持して記録装置を持ち運ぶにあたり、プリンター１０が図１（Ｂ）に表すような姿勢になった場合に、パネル１４が意図せず開いてしまうことを回避できる。これにより、表示部２８の視認性を向上させる為に表示部２８（パネル１４）を大型化する場合においても、より適切な持ち運び性を確保することができる。
【００４７】
また、ハンドル２０の装置本体部１１（本体下部１３）に対する取付部材８０に、パネル１４が設けられたヒンジ部７２と本体上部１２と本体下部１３とが、固定されることにより、パネル１４は、ヒンジ部７２、本体上部１２、本体下部１３、ハンドル２０の取付部材８０の４点の部材によってサポートされることとなり、パネル１４の荷重を４点の部材に分散させることができる。これにより、パネル１４の装置本体部１１への取付構造に高い強度を持たせることができる。  
換言すれば、ハンドル２０を持ち手としてプリンター１０を持った際に、ハンドル２０は取付部材８０を介し、パネル１４、本体上部１２、本体下部１３、のこれらを支持する。従って例えばハンドル２０が本体下部１３のみを介してプリンター１０の全荷重を負担するような構成に比して、破損の虞が少なく、確実にプリンター１０を持ち運ぶことができる。
【００４８】
尚、プリンター１０は、記録時の状態［例えば図２（Ａ）の状態］と、ハンドル２０を把持してプリンター１０を持ち運ぶ状態［例えば図１（Ｂ）の状態］とで、装置本体部１１の上面が変化する。第１の回動軸７０及び第２の回動軸９０は、記録時の状態における装置本体部１１の側面側（＋Ｘ側）に設けられている。
【００４９】
また、突出部７８を本体下部１３の側面１９に形成することで、本体下部１３の側面の剛性を向上させることができ、この剛性が向上した部位（突出部７８）にハンドル２０の取付部材８０が取り付けられるので、パネル１４の取付構造に一層高い強度を持たせることができる上、ハンドル２０を把持して記録装置を運搬する際の前記筐体の破損を抑制することができる。
【００５０】
＜ハンドルにおける他の構成＞
ハンドル２０における他の構成について、図を参照して更に説明する。  
本実施形態において、ハンドル２０は図１（Ａ）に示すように、閉じた状態で突出部７８の周囲に沿って収まり、ハンドル２０が本体下側１３の側面１９から突出しない状態で、ハンドル２０と突出部７８とがプリンター１０の側面を構成している。  
このことにより、ハンドル２０を持ち運び状態［図１（Ｂ）］から折り畳んだ際に、装置本体部１１からハンドル２０が突出することがなく装置本体部１１と一体化して見られ、プリンター１０の外観の美観が向上する。
【００５１】
また、ハンドル２０の腕部２２に設けられ、取付部材８０の第２の回動軸９０を受け入れる凹部８４には、ハンドル２０が閉じた状態［例えば図１１（Ａ）］においてハンドル２０の回動軸線方向（Ｙ軸方向）と交差する方向への移動を許容する様に遊び９６が設けられている。  
具体的には、凹部８４は図１１（Ａ）に示すように、ハンドル２０が閉じた状態において、第２の回動軸９０の回動軸線方向（Ｙ軸方向）から見て縦長形状をしている。尚、凹部８４の短辺の幅［図１１（Ａ）におけるＸ軸方向の幅］は、第２の回動軸９０の太さに対応する幅となっている。
【００５２】
そして、取付部材８０の第２の回動軸９０には＋Ｚ方向への付勢力を有する付勢手段としての圧縮バネ８６が設けられており、ハンドル２０が閉じた状態［図１０（Ａ）］において、圧縮バネ８６の付勢力により、凹部８４と第２の回動軸９０との間の遊び９６が埋められた状態となるように構成されている。
【００５３】
ここで、圧縮バネ８６によって凹部８４と第２の回動軸９０との間の遊び９６が埋められていない場合には、図１１（Ａ）に示すようにハンドル２０が閉じた状態になったときに、重力によりハンドル２０が第２の回動軸９０にぶら下がる。すなわち、第２の回動軸９０は凹部８４の上方側（把持部２１から離れた位置）に位置し、下方側に遊び９６ができる。  
このとき、図１１（Ｂ）に示すように、ハンドル２０の把持部２１と、突出部７８との間には隙間９８が生じる。そして、ハンドル２０の把持部２１の一部が、本体下側１３の底面よりも下方側（−Ｚ側）にはみ出した状態となる。  
図１０（Ａ）のように、ハンドル２０を閉じたときに、圧縮バネ８６の付勢力によって凹部８４と第２の回動軸９０との間の遊び９６を埋めることにより、ハンドル２０が押し上げられて突出部７８との間の隙間９８［図１１（Ｂ）］を埋めた状態にすることができる。
【００５４】
ハンドル２０を閉じた状態において下方（−Ｚ側）にある把持部２１を上方（＋Ｚ側）に変位させて、ハンドル２０を開く方向に回動させると、図１０（Ｂ）から図１０（Ｄ）に示されるように、凹部８４の端縁８５によって圧縮バネ８６が押さえられ、凹部８４と第２の回動軸９０との間に遊び９６が形成される。
【００５５】
ハンドル２０を開いたときに、ハンドル２０の回動軸線方向（Ｙ軸方向）と交差する方向（Ｘ軸方向の成分を含む方向）への移動を許容する遊びが形成されることにより、ハンドル２０を閉じた状態から開く際に、ハンドル２０に対する第２の回動軸９０の相対位置が変わる。具体的には、凹部８４内における第２の回動軸９０の位置が、把持部２１に近い位置から離れる方向へ相対的に変位する。  
すなわち、ハンドル２０が本体下側１３の側面に近い位置［図１０（Ａ）の位置］から離れる方向（＋Ｘ方向）に逃げながら開状態になる［図１０（Ｂ）から図１０（Ｄ）］。
【００５６】
例えば図１２に示すように、ハンドル２０に対する第２の回動軸９０の相対位置（凹部８４内における第２の回動軸９０の位置）を変えずに、ハンドル２０を開こうとすると（仮想線で示すハンドル２０）、ハンドル２０の腕部２２の端部が本体下部１３の側面１９に干渉してしまう。したがって、ハンドル２０に対する第２の回動軸９０の相対位置を変えない場合には、第２の回動軸９０を本体下部１３の側面１９から離れた位置（＋Ｘ側の位置）に設ける必要があり、閉じた状態のハンドル２０と本体下部１３の側面１９との間に隙間ができてしまう。
【００５７】
本実施形態のように、凹部８４に遊び９６が設けられ、ハンドル２０が圧縮バネ８６（付勢手段）の付勢力により、閉じた状態において突出部７８との間の隙間９８［図１１（Ｂ）］を埋めた状態になるように構成されていることにより、ハンドル２０が本体下側１３から離れる方向（＋Ｘ方向）に逃げながら開状態になるので、ハンドル２０を開く際の本体下側１３の側面１９との干渉を避け、閉じた状態のハンドル２０と本体下側１３の側面１９との間を隙間なく配設することが可能となり、プリンター１０の側面の美観を更に向上させることができる。
【００５８】
＜パネルの構成＞  
表示部２８を有するパネル１４について更に詳しく説明する。  
上面側に表示部２８を有するパネル１４は、図１（Ａ）に示すように外周が一対の短辺５０および一対の長辺５２を備える形状であり、本実施形態においては四隅が丸く形成された長方形をしている。
【００５９】
また、表示部２８も輪郭が一対の短辺５４および一対の長辺５６を備える形状であり、その長手方向（長辺５６）がパネル１４の長手方向（長辺５２）と一致するようにパネル１４に設けられている。表示部２８の大きさは、少なくともハガキサイズ以上の大きさに形成されている。  
本実施例において表示部２８は、表示部２８上の押圧された位置を検出する、所謂タッチパネルとしての機能を有し、編集内容、印刷設定内容、現在の動作ステータス等の各種情報を表示する他、各種入力操作を実行可能に構成されている。
【００６０】
パネル１４は、第１の回動軸７０（図４等）を中心に回動して装置本体部１１の上部を開閉するように構成されているとともに、その回動が、第１の回動軸７０と交差する方向を長手方向にして行われるように設けられている。
【００６１】
より具体的には、第１の回動軸７０は、装置本体部１１において、用紙搬送方向と交差する方向の側面部（＋Ｘ側の側面部）に設けられており、図２（Ｂ）のように開いた状態にあるパネル１４を手前にして装置本体部１１を載置した状態で、用紙搬送方向が左右方向（Ｙ軸方向）となるように設けられている。  
言い換えると、用紙排出部４１が設けられている側（＋Ｙ側）を手前にして装置本体部１１を載置した際に、第１の回動軸７０は、装置本体部１１の右側面にくるように設けられている。
【００６２】
以上のように、パネル１４が、第１の回動軸７０と交差する方向をパネル１４及び表示部２８の長手方向にして回動して開閉するように構成されたことにより、以下の作用効果が得られる。  
上記構成により、図２（Ｂ）のようにパネル１４を開いたときに、パネル１４と対面するユーザーから見て、表示部２８の長手方向が鉛直上下方向に沿った状態となる。このことにより、例えば縦書きが採用されることが多いハガキ作成用途において、表示部２８の表示領域を最大限に使用することで編集イメージをより大きく表示させることができ、編集作業がより行い易くなり、ユーザーニーズにより適切に対応することができる。
【００６３】
また表示部２８の大きさが、少なくともハガキサイズ以上であることにより、ハガキ作成時に実寸で編集イメージを表示部２８に表示することができ、表示される編集イメージを実際の完成イメージにより近づけることができる。
【００６４】
また、ユーザーがパネル１４を操作する場合には、通常開いたパネル１４を手前にして装置本体部１１を載置して使用する。このとき、用紙搬送方向が左右方向となるので、パネル１４を操作する際に排紙カバー１８が邪魔にならず、パネル１４の操作性が向上する。
【００６５】
また、本実施形態において、閉じた状態にあるパネル１４は、装置本体部１１の上部の、用紙搬送方向と交差する方向（Ｘ軸方向）における全域を覆うように設けられている。  
このことにより、パネル１４を閉じた際に、装置本体部１１とパネル１４との一体感が増し、プリンター１０の外観のデザイン性や美観が向上する。
【００６６】
また、パネル１４の回動範囲（図１５（Ａ）〜図１５（Ｃ）を参照）とハンドル２０の回動範囲［図１０（Ａ）〜図１０（Ｄ）を参照］は、それぞれの回動が互いに干渉しない位置関係になっている。このことにより、パネル１４とハンドル２０の操作性が向上する。即ち、パネル１４とハンドル２０とは、互いに依存することなく独立して回動させることができる。尚、本実施形態では上記のようにハンドル２０は遊び９６によって回動軸線方向（Ｙ軸方向）と交差する方向への所定量の移動が許容されているので、仮にパネル１４と干渉しても、パネル１４によって回動が阻害されることがない。パネル１４も同様に、仮にハンドル２０と干渉しても、ハンドル２０が逃げることで、回動が阻害されることがない。
【００６７】
尚、プリンター１０は、タッチパネル方式の表示部２８による操作の他、パネル１４に設けられる操作ボタン１５ａ、操作ボタン１５ｂ（図１を参照）等により操作することができる。またプリンター１０に接続されるキーボード等の他の機器により入力操作することも可能である。プリンター１０と他の操作機器との接続は、赤外線通信等の無線による接続の他、有線での接続でもよい。  
また、プリンター１０は、パネル１４を開いた状態で給排紙動作、記録動作の実行が可能である。
【００６８】
また、第１の回動軸７０と軸受け部７４との間には、例えば、パネル１４の開閉時にトルクを発生させて任意の角度で静止可能にする公知のフリーストップ機構を設けることができる。これにより一層スムースなパネル１４の開閉を実現できる。
【００６９】
＜パネルの保持構成＞
パネル１４の保持構成について、図１３〜図１５を用いて説明する。  
図１３は、（Ａ）は、パネルの開状態を表す斜視図、（Ｂ）は、プリンターのパネルが閉状態と全開状態の間にある状態を表す斜視図である。図１４は、（Ａ）は、図１３（Ａ）をパネルの背面側から見た斜視図、（Ｂ）は、図１３（Ｂ）をパネルの背面側から見た斜視図である。図１５は、（Ａ）は、図１３（Ａ）をパネルの右側面から見た図、（Ｂ）は、図１３（Ｂ）をパネルの右側面から見た図、（Ｃ）は、パネルが閉状態であるプリンターをパネルの右側面から見た図である。
【００７０】
開いたパネル１４は、図１４（Ａ）、図１４（Ｂ）に示すように、表示部２８の裏側（以下、パネル１４の背面と称する場合がある）に設けられるアーム６０によって、その開状態を保持するように構成されている。
【００７１】
アーム６０は、一端側に設けられる不図示の回動軸が、本体上部１２側に設けられる軸受け６４にセットされてパネル１４と同じ方向に回動する。またアーム６０は、他端側がパネル１４の背面に、パネル１４の長手方向に沿って設けられるスライド部５８に対してスライド可能に構成されているとともに、スライド部５８に設けられる複数の被係合部６２（６２ａ、６２ｂ、６２ｃ、６２ｄ、６２ｅ）のそれぞれに対して係合可能な係合部６６を備えている［図１４（Ｂ）を参照］。
【００７２】
複数の被係合部６２は、アーム６０のスライド方向に沿って、すなわちパネル１４の長手方向に沿って設けられており、図１４（Ａ）と図１４（Ｂ）に示すように、係合部６６が係合する被係合部６２を変えることにより、開き角度［図１５（Ａ）および図１５（Ｂ）に示す角度α］を変えて傾斜姿勢を保持できるようになっており、ユーザーが操作し易い角度にパネル１４の開き角度αに変更可能に構成されている。
【００７３】
例えば、図１３（Ａ）、図１４（Ａ）、および図１５（Ａ）では、係合部６６が被係合部６２ｅと係合し、パネル１４が完全に開いている状態（全開状態）である。  
また、図１３（Ｂ）、図１４（Ｂ）、および図１５（Ｂ）は、係合部６６が被係合部６２ｃと係合し、パネル１４が閉状態と全開状態の間にある状態である。係合部６６が被係合部６２ａと係合させると、図１５（Ｃ）のような閉状態となる。被係合部６２の数を増やすことにより、より細かい調整が可能となる。
【００７４】
尚、図示しない付勢手段によってアーム６０は、係合部６６が被係合部６２に係合する方向に付勢された状態になっている。また、スライド部５８の側部には係合部６６と被係合部６２との係合を解除する為の係合解除ボタン６８が設けられている。尚、係合解除ボタン６８はスライド部５８の上方に設けることもできる。
【００７５】
本実施形態において、アーム６０は、用紙搬送方向（Ｙ軸方向）に対して媒体セット部２３とキャリッジ３２との間に位置するように設けられている（図３を参照）。そして、パネル１４を閉じた際に、本体上部１２のアーム収納部６３にアーム６０が収納されるように構成されている。  
このように構成することにより、媒体セット部２３と前記キャリッジ３２との間の領域を有効に利用し、装置の大型化を抑制することができる。
【００７６】
また本実施形態では、図３に表されるように、装置高さ方向（Ｚ軸方向）において、アーム６０の少なくとも一部とキャリッジ３２の少なくとも一部とが同じ高さ位置にあるように構成されている。すなわち、アーム６０の少なくとも一部とキャリッジ３２の少なくとも一部とが高さ方向においてオーバーラップしている。  
このことにより、高さ方向における装置寸法を抑制し、小型化を図ることができる。
【００７７】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００７８】
１０  プリンター、１１  装置本体部、１２  本体上部、１３  本体下部、
１４  操作パネル、１５ａ、１５ｂ  操作ボタン、１６  給紙カバー、
１８  排紙カバー、１９  本体下部の側面、２０  ハンドル、
２１  把持部、２２  腕部、２３  媒体セット部、
２４ａ  第１スライド板、２４ｂ  第２スライド板、２６  用紙支持部、
２８  表示部、３０  記録ヘッド、３２  キャリッジ、３４  液体収納体、
３６  給紙ローラー、３８ａ  搬送駆動ローラー、３８ｂ  搬送従動ローラー、
４０  搬送ローラー対、４１  用紙排出部、４２  支持部材、
４４ａ  排出駆動ローラー、４４ｂ  排出従動ローラー、４６  排出ローラー対、
４８  回転体、５０  短辺、５２  長辺、５４  短辺、５６  長辺、
５８  スライド部、５９、５９ａ、５９ｂ、５９ｃ、５９ｄ  被係合部、
６０  アーム、６２、６２ａ、６２ｂ、６２ｃ、６２ｄ、６２ｅ  被係合部
６３  アーム収納部、６４  軸受け、６６  係合部、６８  係合解除ボタン、
７０  第１の回動軸、７２  ヒンジ部、７４  軸受け部、７５  第１の貫通孔、
７６  回動軸線、７８  突出部、７９  取付孔、８０  取付部材、８２  締結孔、
８４  凹部、８５  端縁、８６  圧縮バネ、８８  第２の貫通孔、
９０  第２の回動軸、９２  回動軸線、９４  ネジ、９６  遊び、９８  隙間、
Ｐ  用紙
【図１】
0006544509.tif 000002
【図２】
0006544509.tif 000003
【図３】
0006544509.tif 000004
【図４】
0006544509.tif 000005
【図５】
0006544509.tif 000006
【図６】
0006544509.tif 000007
【図７】
0006544509.tif 000008
【図８】
0006544509.tif 000009
【図９】
0006544509.tif 000010
【図１０】
0006544509.tif 000011
【図１１】
0006544509.tif 000012
【図１２】
0006544509.tif 000013
【図１３】
0006544509.tif 000014
【図１４】
0006544509.tif 000015
【図１５】
0006544509.tif 000016